(57)【要約】  縫合キットには、縫合糸と、縫合糸を保持するための縫合糸ホルダーが含まれる。 縫合糸は、第一端部と第一端部とは反対側の第二端部を有する。縫合糸ホルダーは、長手方向軸に沿って細長く、縫合糸出口開口部で終端する縫合糸受入れ通路を画定する細長い壁を含む。縫合糸受入れ通路は、縫合糸の直径の少なくとも２倍の幅を有し、縫合糸が折り返されて縫合糸出口開口部から距離を隔てた半ループ部を形成するように縫合糸を受容する。縫合糸の第一部分は、半ループ部から第一端部に向かって延び、縫合糸の第二部分は、半ループ部から第二端部に向かって延びる。縫合糸受入れ通路内の縫合糸の第一部分および第二部分は、長手方向軸に平行に整列して配置されている。
2020533043.tif 000002
【特許請求の範囲】
【請求項１】
第一端部と、該第一端部とは反対側の第二端部とを有する縫合糸と、
長手方向軸に沿って細長く、縫合糸出口開口部で終端する縫合糸受入れ通路を画定する細長い壁を含む縫合糸ホルダーを具え、
前記縫合糸受入れ通路は、前記縫合糸の直径の少なくとも２倍の幅を有し、該縫合糸が折り返されて前記縫合糸出口開口部から距離を隔てた半ループ部、該半ループ部から前記第一端部に向かって延びる第一部分、および前記半ループ部から前記第二端部に向かって延びる第二部分を形成するように前記縫合糸を受容し、前記縫合糸受入れ通路内の前記半ループ部と隣合う部分から前記縫合糸出口開口部までの前記縫合糸の前記第一部分および前記第二部分のそれぞれが、前記長手方向軸に沿って整列している、
縫合キット。
【請求項２】
前記縫合糸の前記第一端部に第一針と、外科手術中に患者に挿入されるように構成された部分を有する少なくとも１つの縫合装置とをさらに含み、前記少なくとも1つの縫合装置が前記第一針を保持するように構成された第一針ホルダーを有する、請求項１の縫合キット。
【請求項３】
前記縫合糸が、前記第二端部に第二針を有する双腕縫合糸であり、前記少なくとも１つの縫合装置が、前記第一針ホルダーを含む第一縫合装置、および該第一縫合装置とは別の器具であり、前記第二針を保持するように構成された第二針ホルダーを有する第二縫合装置を含む、請求項２の縫合キット。
【請求項４】
前記第一縫合装置を収容する第一縫合装置凹部と、前記第二縫合装置を収容する第二縫合装置凹部と、前記縫合糸ホルダーを収容する縫合糸ホルダー凹部とを含むパッケージベースをさらに具える、請求項３の縫合キット。
【請求項５】
前記縫合糸保持凹部が、前記第一縫合装置凹部と前記第二縫合装置凹部との間に配置される、請求項４の縫合キット。
【請求項６】
前記第一縫合装置が前記第一縫合装置凹部に収容され、前記第二縫合装置が前記第二縫合装置凹部に収容され、前記縫合糸ホルダーが縫合糸ホルダー凹部に収容される場合、前記縫合糸ホルダーの外側にある前記縫合糸の前記第一部分が、前記縫合糸ホルダーの外側にある前記縫合糸の前記第二部分から離れて延びる、請求項５の縫合キット。
【請求項７】
前記細長い壁が、前記長手方向軸に直交する閉じた断面を有する、請求項１の縫合キット。
【請求項８】
前記閉じた断面が円形である、請求項７の縫合キット。
【請求項９】
前記縫合糸受入れ通路が、前記長手方向軸に沿って前記縫合糸出口開口部から距離を隔てた第二開口で終端する、請求項１の縫合キット。
【請求項１０】
前記半ループ部が、前記縫合糸出口開口部と比較して、前記第二開口の近くに位置する、請求項９の縫合キット。
【請求項１１】
前記細長い壁が、前記縫合糸受入れ通路を画定する滑らかな内面を含む、請求項１の縫合キット。
【請求項１２】
結び目プッシャーをさらに具える、請求項１の縫合キット。
【請求項１３】
前記結び目プッシャーが、前記縫合糸ホルダーに接続されている、請求項１２の縫合キット。
【請求項１４】
前記縫合糸受入れ通路が、前記長手方向軸に沿って前記縫合糸出口開口部から距離を隔てた第二開口で終端し、前記結び目プッシャーが前記第二開口を覆う、請求項１３の縫合キット。
【請求項１５】
縫合糸の第一端部と第二端部との間に位置する前記縫合糸の中間部を、縫合糸ホルダーの縫合糸受入れ通路に挿入し、
前記縫合糸ホルダーの最長寸法と一致する平面で見た場合に、前記縫合糸が前記縫合糸受入れ通路内に唯一の折り返し部分を有し前記縫合糸がループ状になるように、前記縫合糸を前記縫合糸受入れ通路に引き込む、
縫合キットを組み立てる方法。
【請求項１６】
前記縫合糸を引き込むことが、前記縫合糸受入れ通路と真空源を流体連通して接続することをさらに含む、請求項１５の方法。
【請求項１７】
前記縫合糸が、前記第一端部に接続された第一針と、前記第二端部に接続された第二針とを有する双腕縫合糸である、請求項１５の方法。
【請求項１８】
前記第一針を第一縫合装置に搭載することと、前記第二針を第二縫合装置に搭載することとをさらに含み、前記第一縫合装置と第二縫合装置のそれぞれが外科処置中に患者に挿入されるように構成される部分を含む、請求項１７の方法。
【請求項１９】
結び目プッシャーを前記縫合糸ホルダーに接続することをさらに含む、請求項１５の方法。
【発明の詳細な説明】
【技術分野】
【０００１】
本開示は、全体として、外科手術および縫合糸の配置(placement)に関するものであり、より詳しくは、組織の縫合修復装置および方法に関する。
【背景技術】
【０００２】
縫合糸を使用した外科的縫合は、組織修復の1つのアプローチである。多くの場合、持針器または同様の装置を用いて、修復する組織に縫合針を配置し、通過させる。縫合針の一端に所定の長さの縫合糸が取り付けられ、縫合パッケージに保管され得る。
【０００３】
既知の縫合パッケージは、縫合糸を受け入れるように構成された狭い通路を具えたレーストラック構造を有してもよい。これらのレーストラック型縫合パッケージでは、縫合糸はパッケージ内で数回巻き付けられる。縫合糸はラミネート包でも包装される。レーストラック型の縫合パッケージと同様に、ラミネート包内の縫合糸もパッケージ内でそれ自体の周りに数回巻き付けられる。
【発明の概要】
【課題を解決するための手段】
【０００４】
上記に鑑み、本発明の縫合キットは、縫合糸および縫合糸を保持するための縫合糸ホルダーを含む。縫合糸は、第一端部と第一端部とは反対側の第二端部を有する。縫合糸ホルダーは、長手方向軸に沿って細長く、縫合糸出口開口部で終端する縫合糸受入れ通路を画定する細長い壁を含む。縫合糸受入れ通路は、縫合糸の直径の少なくとも２倍の幅を有し、縫合糸が折り返されて縫合糸出口開口部から距離を隔てた半ループ部を形成するように縫合糸を受容する。縫合糸の第一部分は、半ループ部から第一端部に向かって延び、縫合糸の第二部分は、半ループ部から第二端部に向かって延びる。縫合糸受入れ通路内の縫合糸の第一部分および第二部分は、長手方向軸に平行に整列して配置されている。
【０００５】
縫合キットは、縫合糸の第一端部に第一針、および縫合外科手術中に患者に挿入されるように構成された部分を有する少なくとも１つの縫合装置とを具えてもよい。縫合装置は、第一針を保持するように構成された第一針ホルダーを含む。縫合キットでは、縫合糸は、縫合糸の第二端部に第二針を有する双腕縫合糸であってもよい。キットは、前述の第一針ホルダーを含む第一縫合装置と、第二針を保持するように構成された第二針ホルダーを含み、第一縫合装置とは別の器具である第二縫合装置を含んでもよい。
【図面の簡単な説明】
【０００６】
【図１】図１は、２つの縫合装置、縫合糸、縫合糸ホルダー、および結び目プッシャーを含む縫合キットの斜視図。
【図２】図２は、パッケージベースから取り外された縫合装置、縫合糸、縫合糸ホルダー、および結び目プッシャーを具える図１の縫合キットの斜視図。
【図３】図３は、縫合装置および縫合糸ホルダーの斜視図であり、縫合糸ホルダーの細長い壁が、内部に格納された縫合糸を見えるようにするために透視図として示されている。
【図４】図４は、縫合糸が縫合糸ホルダーに受入れられる前の真空源に接続された縫合糸ホルダーの概略図。
【図５】図５は、別の縫合キットの斜視図。
【発明を実施するための形態】
【０００７】
図１および２を参照すると、縫合キット１０は、少なくとも１つの縫合装置（２つの縫合装置１２、１４が図１および２に示されている。）、縫合糸ホルダー１６、縫合糸１８、および結び目プッシャー２０を含む。縫合装置１２、１４、縫合糸ホルダー１６、縫合糸１８、および結び目プッシャー２０は、パッケージベース２４を含むパッケージに収容され、無菌の手術用具を包装するための既知のカバーシートと同様のカバーシート（図示せず。）で覆われている。
【０００８】
図３を参照すると、縫合糸１８は、第一端部３２に取付けられた第一針３０と、第一端部３２の反対側の第二端部３６に取付けられた第二針３４とを有する。 針３０、３４は、既知の材料から作られた市販の湾曲した針に類似していてもよい。針３０、３４はまた、湾曲した針ホルダー内に配置されたときに針３０、３４が曲線をたどり、その後針ホルダーを出た後に真っ直ぐになるように、展性または可撓性の材料から作られてもよい。針３０、３４は、直線などの他の構成をとってもよい。また、針３０、３４は、縫合糸１８の一部として形成することができ、例えば、針３０、３４は、動物組織を通過するのに適するように構成された縫合糸１８の剛性端部とすることができる。図１乃至３に示される縫合糸１８は、両端にそれぞれの針３０、３４を有する双腕縫合糸であるが、縫合糸ホルダー１６は、単腕縫合糸と用いられてもよい。
【０００９】
図３を参照すると、縫合糸ホルダー１６は、縫合糸ホルダー１６内に受入れられた縫合糸１８が見えるように透明として示されている。縫合糸１８は、縫合糸ホルダー１６内で２つに折りたたまれて、半ループ部３８をもたらす。縫合糸１８の第一部分４２は、半ループ部３８から第一端部３２に向かって延びる。縫合糸１８の第二部分４４は、半ループ部３８から縫合糸１８の第二端部３６に向かって延びる。既知の縫合糸パッケージとは対照的に、縫合糸ホルダー１６内の縫合糸１８はそれ自体に何度も巻き付けられない。
【００１０】
縫合糸ホルダー１６は、長手方向軸５４に沿って引き延ばされ、縫合糸出口開口部５６で終端する縫合糸受入れ通路５２を画定する細長い壁５０を含む。細長い壁５０は、例示の実施形態の長手方向軸５４に直交する閉じた断面を有する。細長い壁５０は、長手方向軸５４に直交する断面が円形であるが、細長い壁５０は他の形状をとってもよく、閉じた断面である必要はない。例えば、細長い壁５０は、断面がＣ字形またはＵ字形であってもよい。細長い壁５０はまた内面５８を含み、内面５８は縫合糸ホルダー１６からの展開中に縫合糸１８が捕まったり、すなわち、引っ掛かったりするのを防ぐために滑らかであってもよい。細長い壁５０はまた外面６０を含み、外面６０は滑らかであってもよく、内面５８と平行または同軸であってもよい。
【００１１】
縫合糸受入れ通路５２はまた、長手方向軸５４に沿って縫合糸出口開口部５６から距離を隔てた第二開口６２で終端する。従って、縫合糸受入れ通路５２は、長手方向軸５４に沿って縫合糸ホルダー１６を完全に貫通し、従来の飲用ストローと同様の構成を有する。縫合糸受入れ通路５２は幅を有し、この幅は長手方向軸５４に直交する平面で測定される。例示の実施形態では、この幅は円形の断面の直径であり、それは縫合糸１８の直径の少なくとも２倍である。これにより、縫合糸１８が折り返されて半ループ部３８を形成するように縫合糸受入れ通路５２に縫合糸１８が受入れられる。縫合糸受入れ通路５２は、長手方向軸５４に沿って最も長く、これは、縫合糸受入れ通路５２の幅よりも数倍大きい。
【００１２】
図３を参照すると、縫合糸１８が縫合糸受入れ通路５２に受入れられた場合、縫合糸１８は折り返されて縫合糸出口開口部５６から距離を隔てた半ループ部３８を形成する。図示されたように、縫合糸受入れ通路５２内の半ループ部３８と隣合う部分から縫合糸出口開口部５６までの縫合糸１８の第一部分４２は、長手方向軸５４と平行に配置されている。同様に、縫合糸受入れ通路５２内の半ループ部３８と隣合う部分から縫合糸出口開口部５６までの縫合糸１８の第二部分４４は、長手方向軸５４に平行に配置されている。特に、縫合糸１８は糸状の材料であるため、第一部分４２と第二部分４４の両方は正確には真っ直ぐではないかもしれない。そのため、「平行」には、第一部分４２または第二部分４４のいずれかと長手方向軸５４とがなす角度が０°である場合だけでなく、その角度が‐５〜＋５°である場合も含まれる。故に、縫合糸受入れ通路５２内の半ループ部３８と隣合う部分から縫合糸出口開口部５６までの縫合糸１８の第一部分４２および第二部分４４のそれぞれが、長手方向軸５４に沿って並べられていると言うことができる。図示されたように、縫合糸受入れ通路５２内の縫合糸１８に沿って縫合糸が折りたたまれている場所は一点しかなく、そこは、半ループ部３８である。
【００１３】
図１を参照すると、縫合糸ホルダー１６は、パッケージベース２４に配置される場合には、第一縫合装置１２と第二縫合装置１４との間に配置される。縫合キット１０が包装される場合には、縫合糸ホルダー１６の外側にある縫合糸１８の第一部分４２は、縫合糸ホルダー１６の外側にある縫合糸１８の第二部分４４から離れて延びる。これにより、縫合装置１２、１４がパッケージベース２４から取外されたときに、縫合糸１８が絡まることが防止される。
【００１４】
縫合キット１０は、外科手術中に患者に挿入されるようにそれぞれ構成された縫合装置１２および１４を含む。 図１〜３に示された縫合装置１２および１４は、２０１７年７月１１に出願された米国特許出願Ｎｏ．  １５／６４６，５２１により詳しく説明されている。故に、簡潔にするため、縫合装置１２、１４の詳細を省略する。第１の縫合装置１２は、第一針３０を保持する第一針ホルダー７２を含む（図３）。第二縫合装置１４は、第二針３４を格納する第二針ホルダー７４を含む。従来の持針器のような他のタイプの縫合装置が、図示された縫合装置１２および１４に加えて、またはその代わりに、縫合キット１０を具えてもよい。
【００１５】
続けて図２を参照すると、パッケージベース２４は、第一縫合装置１２を受入れる第一縫合装置凹部８２、第二縫合装置１４を受入れる第二縫合装置凹部８４、および縫合糸ホルダー１６を受入れる縫合糸保持凹部８６を含む。パッケージベース２４はまた、結び目プッシャー２０を受入れる結び目プッシャー凹部８８を含む。縫合糸ホルダー凹部８６は、第一縫合装置凹部８２と第二縫合装置凹部８４との間に配置される。上述したように、図１を参照すると、第一縫合装置１２が第一縫合装置凹部８２に受入れられ、第二縫合装置１４が第二縫合装置凹部８４に受入れられ、縫合糸ホルダー１６が縫合糸保持凹部８６に受入れられる場合には、縫合糸ホルダー１６の外側にある縫合糸１８の第一部分４２は、縫合糸ホルダー１６の外側にある縫合糸１８の第二部分４４から離れて延びる。
【００１６】
パッケージベース２４には、第一縫合装置凹部８２、第二縫合装置凹部８４、および結び目プッシャー凹部８８から外向きに延びる把持切欠部９２を設けてもよい。把持切欠部９２によって、指の挿入が可能になり、縫合装置１２、１４および結び目プッシャー２０の取外しが容易になる。クリアランス切欠部９４が第一縫合装置凹部８２および第二縫合装置凹部８４から外側に延びてもよく、これにより縫合キット１０の可動の構成要素、すなわち、繊細な構成要素のためのクリアランスをもたらす。凹部８２、８４、８６、および８８の各々の中に内向きに延びるタブ９６が設けられ、適切な構成要素を適切な凹部内に保持する。
【００１７】
図１に、より明確に見られるように、縫合糸ホルダー１６が縫合糸ホルダー凹部８６に受入れられると、長手方向軸５４は、縫合装置１２、１４それぞれの各ハンドルの中心軸に対して角度をなす、すなわち、平行ではない。これにより、縫合糸ホルダーがハンドル軸と正確に平行に配置された場合と比較して、より長い縫合糸ホルダー１６が可能になる。また、手術中に縫合糸ホルダー１６をパッケージベース２４から取外せないかもしれないが、その代わりに縫合糸ホルダー１６から縫合糸１８を取外すときに縫合糸ホルダー凹部８６の内部に縫合糸ホルダー１６を留まらせることができるため、縫合糸ホルダー凹部８６内には切欠部を設けなくてもよい。図１から明らかなように、手術中に最初にどの縫合装置を使用するかに関して臨床医に指示を与えるために、番号「１」、「２」のような印をパッケージベース２４に付けてもよい。上述したように、無菌パッケージを提供するために、パッケージベース２４にカバーを設けたり、取付けたりしてもよい。
【００１８】
図１および図２に示された結び目プッシャー２０は、既知の結び目プッシャーと同様であってもよい。
【００１９】
縫合キット１０を組み立てる方法は、縫合糸１８の第一端部３２と第二端部３６との間に位置する縫合糸１８の中間部１００を、縫合糸ホルダー１６の縫合糸受入れ通路５２に挿入することを含む。縫合糸受入れ通路５２内に唯一の折り返し部分を有し縫合糸１８がループ状になるように縫合糸受入れ通路５２に縫合糸１８を引き込む。唯一の折り返し部分は、図３に示す半ループ部３８と一致する。縫合糸１８の折り返し部分は、縫合糸ホルダー１６の最長寸法と一致する平面で見た場合に見ることができる。上述したように、特に、縫合糸１８は糸状の素材であるため、第一部分４２と第二部分４４は正確にまっすぐではないかもしれない。しかしながら、縫合糸１８は、既知のレーストラック形状の縫合糸ホルダーおよび既知の包装内の縫合糸のように、それ自体に何度も巻き付けられることもない。
【００２０】
縫合キット１０を組み立てるとき、真空源１０２を縫合糸ホルダー１６に接続して、縫合糸受入れ通路５２および第二開口６２を介して空気を引き込み、縫合糸出口開口部５６を通って縫合糸１８を引き込んでもよい。例えば、縫合糸を掴んで縫合糸受入れ通路５２に縫合糸を引き入れるためにフックを使用するといった、他の方法で縫合糸受入れ通路５２に縫合糸１８を引き込んでもよい。しかしながら、真空源１０２を縫合糸受入れ通路５２と流体連通して接続させて縫合糸１８を引き込むことが好ましい。
【００２１】
上述したように、縫合糸１８は、第一端部３２で接続された第一針３０と、第二端部３６で接続された第二針３４とを有する双腕縫合糸であってもよい。縫合キット１０は、第一縫合装置１２に第一針３０を搭載し、第二縫合装置１４に第二針３４を搭載することによりさらに組み立てられてもよい。これは、縫合糸１８の中間部１００を縫合糸ホルダー１６の縫合糸受入れ通路５２に挿入し、縫合糸１８を縫合糸受入れ通路５２に引き込む前または後に実施されてもよい。
【００２２】
図５を参照すると、代替の縫合キット１１０は、少なくとも１つの縫合装置（２つの縫合装置１１２、１１４が示されている。）、縫合糸ホルダー１１６、縫合糸１１８、および結び目プッシャー１２０を含む。縫合装置１１２、１１４、 縫合糸ホルダー１１６、縫合糸１１８、および結び目プッシャー１２０は、パッケージベース１２４を含むパッケージに収容され、無菌の手術用具を包装するための既知のカバーシートと同様のカバーシート（図示せず。）で覆われている。
【００２３】
縫合糸１１８は、第一端部１３２に取り付けられた第一針１３０と、第一端部１３２とは反対側の第二端部１３６に取り付けられた第二針１３４を有する。針１３０、１３４は、上述の針３０、３４と類似であってよい。図５に示された縫合糸１１８は、両端にそれぞれ針１３０、１３４を有する双腕縫合糸であるが、縫合糸ホルダー１１６は、単腕縫合糸とともに用いられてもよい。
【００２４】
（縫合糸ホルダー１１６内に仮想線で示される）縫合糸１１８は、縫合糸ホルダー１１６内で折りたたまれて、半ループ部１３８をもたらす。縫合糸１１８の第一部分１４２は、半ループ部１３８から第一端部１３２に向かって延びる。縫合糸１１８の第二部分１４４は、半ループ部１３８から縫合糸１１８の第二端部１３６に向かって延びる。既知の縫合糸パッケージとは対照的に、縫合糸ホルダー１１６内の縫合糸１１８はそれ自体に何度も巻き付けられない。
【００２５】
縫合糸ホルダー１１６は、長手方向軸１５４に沿って細長く、縫合糸出口開口部１５６で終端する（上述の縫合糸受入れ通路５２と同様の）縫合糸受入れ通路を画定する細長い壁１５０を含む。細長い壁１５０は、図示された実施形態では、長手方向軸１５４に直交する閉じた断面を有する。細長い壁１５０は、長手方向軸１５４に直交する断面が円形であるが、細長い壁１５０は他の形状をとってもよく、閉じた断面である必要はない。細長い壁１５０はまた内面を含み、内面は、縫合糸ホルダー１１６からの展開中に縫合糸１１８が捕まったり、すなわち、引っ掛かったりするのを防ぐために滑らかであってもよい。細長い壁１５０はまた外面を含み、外面は滑らかであってもよく、内面と平行または同軸であってもよい。
【００２６】
縫合糸受入れ通路はまた、長手方向軸１５４に沿って縫合糸出口開口部１５６から距離を隔てた第二開口で終端し、それは、図５の結び目プッシャー１２０によって覆われている。縫合糸受入れ通路は、長手方向軸１５４に直交する平面で測定され、図示された実施形態では円形断面の直径である幅を有し、この幅は、縫合糸１１８の直径の少なくとも２倍である。これにより、縫合糸１１８が折り返されて半ループ部１３８を形成するように縫合糸受入れ通路に縫合糸１１８が受入れられる。縫合糸受入れ通路は、長手方向軸１５４に沿って最も長く、これは、縫合糸受入れ通路の幅よりも数倍大きい。
【００２７】
縫合糸１１８が縫合糸受入れ通路に受入れられた場合、縫合糸１１８は折り返されて縫合糸出口開口部１５６から距離を隔てた半ループ部１３８を形成する。図示されたように、縫合糸受入れ通路内の半ループ部１３８と隣合う部分から縫合糸出口開口部１５６までの縫合糸１１８の第一部分１４２は、長手方向軸１５４と平行に配置されている。同様に、縫合糸受入れ通路内の半ループ部１３８と隣合う部分から縫合糸出口開口部１５６までの縫合糸１１８の第二部分１４４は、長手方向軸１５４に平行に配置されている。特に、縫合糸１１８は糸状の材料であるため、第一部分１４２と第二部分１４４の両方は正確には真っ直ぐではないかもしれない。そのため、「平行」には、第一部分１４２または第二部分１４４のいずれかと長手方向軸１５４とがなす角度が０°である場合だけでなく、その角度が‐５〜＋５°である場合も含まれる。故に、縫合糸受入れ通路内の半ループ部１３８と隣合う部分から縫合糸出口開口部１５６までの縫合糸１１８の第一部分１４２および第二部分１４４のそれぞれが、長手方向軸１５４に沿って並べられていると言うことができる。図示されたように、縫合糸受入れ通路内の縫合糸１１８に沿って縫合糸が折りたたまれている場所は一点しかなく、そこは、半ループ部１３８である。
【００２８】
縫合キット１１０は、手術中に患者に挿入されるようにそれぞれ構成された縫合装置１１２および１１４を含む。図５に示された縫合装置１１２および１１４は、止血鉗子に似た形状の持針器と類似している。他の従来の持針器のような他のタイプの縫合装置が、図示された縫合装置１１２および１１４に加えて、またはその代わりに、縫合キット１１０を具えてもよい。
【００２９】
パッケージベース１２４は、第一縫合装置１１２を受入れる第一縫合装置凹部１８２、第二縫合装置１１４を受入れる第二縫合装置凹部１８４、および縫合糸ホルダー１１６を受入れる縫合糸ホルダー凹部１８６を含む。パッケージベース１２４は、結び目プッシャー凹部１８８から外向きに延びる把持切欠部１９２を具えてもよい。把持切欠部１９２によって、指の挿入が可能になり、縫合糸ホルダー１１６および結び目プッシャー１２０の取外しが容易になる。
【００３０】
図５に示された結び目プッシャー１２０は、縫合糸ホルダー１１６と接続される。図示されたように、結び目プッシャー１２０は、縫合糸出口開口部１５６とは反対側の縫合糸ホルダー１１６の端部１９６と接続される。結び目プッシャー１２０は、例えば、図４に示される真空源１０２の使用により、縫合糸１１８が縫合糸通路内に吸引された後、端部１９６に設けられた開口部に嵌め込まれてもよい。
【００３１】
縫合キットおよび縫合キットを組み立てる方法が、特に上記で説明されてきた。しかし、上記の詳細な説明を読んで理解されれば、修正および変更が行われ得る。本発明は、上述の実施形態のみに限定されず、添付の特許請求の範囲およびその均等物によって広く定められる。
【図１】
2020533043.tif 000003
【図２】
2020533043.tif 000004
【図３】
2020533043.tif 000005
【図４】
2020533043.tif 000006
【図５】
2020533043.tif 000007
【国際調査報告】
2020533043.tif 000008